(57)【要約】【課題】土工事のコスト、工期の削減と工事期間中における建物の耐震安全性確保及び土間解体工事の騒音、産業廃棄物の発生を防止できる土間コンクリート建物の傾斜補修工法を提供する。【解決手段】本発明による土間コンクリート建物の傾斜補修工法は、傾斜を生じた土間コンクリート建物の基礎１をジャッキアップすることで不陸に対応するために、ジャッキ２を設置する掘削部分５の土間コンクリート４は撤去して、他の土間コンクリート４は基礎梁６と縁切り７し、しかる後に基礎１を不陸分だけジャッキアップして既存土間コンクリート４の上に床上げ土間コンクリート９を打設している。【選択図】  図１
2004150193.tif 000002
【特許請求の範囲】
【請求項１】
傾斜を生じた土間コンクリート建物の基礎をジャッキアップすることで不陸に対応する土間コンクリート建物の傾斜補修工法であって、ジャッキを設置する掘削部分の土間コンクリートは撤去して、他の土間コンクリートは基礎梁と縁切りし、しかる後に基礎を不陸分だけジャッキアップして既存土間コンクリートの上に床上げ土間コンクリートを打設することを特徴とする土間コンクリート建物の傾斜補修工法。
【発明の詳細な説明】
【０００１】
【発明の属する技術分野】
本発明は、補修時における建物の耐震安全性を確保しながら、土工事のコスト、工期を削減できる土間コンクリート建物の傾斜補修工法に関する。
【０００２】
【従来の技術】
不同沈下等によって地盤に傾斜が生じることで不陸が発生した場合には、建物の傾きや高さ等を補修するために建物とその基礎との間に油圧ジャッキを介在装備させて空間を形成し、この空間に入り込んだ人間によって基礎の上面を平坦に均すことで不陸を補修していたが、本補修工法は、油圧ジャッキの取付に治具を要して大規模の工事になりながら、補修効果に信憑性を欠く問題点も指摘されていたことから、これらの問題点を改善する下記の工法も提案されていた。
【０００３】
【特許文献】特公平４−５１０５号公報（第２頁、第３欄第４０行〜第４欄第１７行、第１図）
【０００４】
特に、一階の床が土間コンクリートの建物では、土聞コンクリートの補強や盛替えを行うのが一般的であるが、土間コンクリートの解体工事における騒音、産業廃棄物の発生、さらには建物に対する耐震安全性の確立等の問題が発生し、わずかな傾斜を補正するのにも、土工事における工期やコストの面で無視できない課題として問題視されていた。
【０００５】
即ち、従来における土間コンクリート建物の傾斜補修は、アンダーピニング、ジャッキアップ等で傾斜補正を行う等いずれの工法においても、既存の土間コンクリートを盛り替えしながら維持するものであり、図４の概要図に示すような各種工法での施工においても、建物の基礎に対してジャッキを設置すると同時に既存の土間コンクリートの下を全面的に掘削していた。
【０００６】
図４（ａ）に示す例は、建物の基礎１に対してジャッキ２を設置することで、建物の傾斜を補正するように基礎１のジャッキアップをすると同時に、鉄骨梁１０等で土間コンクリート４を掘削した後の床下３から補強する傾斜の補正工法である。
【０００７】
従って、既存の土間コンクリート４の下は、大量の土壌を掘削して撤去すると共に、建物の傾斜補正が行われた後には、図示していないが、地盤に対する土壌の埋め戻しが行われていた。
【０００８】
又、図４（ｂ）の例は、既存の土間コンクリートを構造スラブ１１に盛り替えた後に、建物の傾斜を補正するように基礎２のジャッキアップをすることで傾斜補正を行っている傾斜の補正工法であるが、上記の例と同様に、傾斜補正の前における既存土間コンクリートの下にある土壌の掘削撤去と傾斜補正後における図示していない土壌の埋め戻しが行われていた。
【０００９】
さらに、図４（ｃ）の例は、既存の土聞コンクリートを全てに亘って一旦取り壊すものであり、基礎１のジャッキアップをすることで傾斜補正を行った後に、土壌の埋め戻し１２と土間コンクリート１３の新設を行う傾斜の補正工法である。
【００１０】
従って、本工法では、既存土間コンクリートの取り壊しと大量土壌の掘削撤去を必須にし、建物の傾斜補正が行われた後には、地盤に対する土壌の埋め戻しと新規土間コンクリートの施工を要していた。
【００１１】
以上のように、従来の傾斜補修工法は、土間コンクリートの土工事におけるコストの高騰と工期の長期化、土間の解体工事における騒音、産業廃棄物の発生及び工事期間中における建物の耐震安全性の確立対策等が発生しており、その改善が求められていた。
【００１２】
【発明が解決しようとする課題】
本発明は、上記の実態に鑑みてその改善を図るために提案するものであり、既存土間コンクリートの下を掘削することや既存土間コンクリートの盛替えを行わないことによって、従来からの問題点であった土工事のコスト、工期の削減と工事期間中における建物の耐震安全性確保及び土間解体工事の騒音、産業廃棄物の発生を防止できる土間コンクリート建物の傾斜補修工法の提供を目的にしている。
【００１３】
【課題を解決するための手段】
本発明による土間コンクリート建物の傾斜補修工法は、傾斜を生じた土間コンクリート建物の基礎をジャッキアップすることで不陸に対応する土間コンクリート建物の傾斜補修工法において、ジャッキを設置する掘削部分の土間コンクリートは撤去して、他の土間コンクリートは基礎梁と縁切りし、しかる後に基礎を不陸分だけジャッキアップして既存土間コンクリートの上に床上げ土間コンクリートを打設することを特徴としている。
【００１４】
【発明の実施の形態】
本発明による土間コンクリート建物の傾斜補修工法は、ジャッキを設置する掘削部分の土間コンクリートのみを撤去して、他の土間コンクリートは、基礎梁との間を縁切りして置き、しかる後に基礎を不陸分だけジャッキアップして、既存土間コンクリートの上に床上げ土間コンクリートを打設しているものであり、土工事のコストと工期の削減を図り、工事期間中における建物の耐震安全性を確保しながら、土間解体工事における騒音、産業廃棄物の発生を抑制している。
【００１５】
以下に、本発明による土間コンクリート建物の傾斜補修工法に関する実施の形態を図面に基づいて詳細に説明するが、理解を容易にするために、従来と同様の部位については、同一の符号で表示している。
【００１６】
図１は、本実施の形態における前処理の工程を示しており、土間コンクリート建物の立断面図（ａ）と立断面図（ａ）の（ｂ）−（ｂ）矢視した基礎梁の断面図（ｂ）を表示している。
【００１７】
本実施の形態では、立断面図（ａ）に図示するように、工事に必要な最小域の掘削溝５が、既存土間コンクリート４の床下３に掘削されており、この掘削溝５の底面には、傾斜状態にある基礎１を支えてジャッキ２を配置している。
【００１８】
この際の既存土間コンクリート４は、工事に必要な最小域の掘削溝５に該当する範囲において掘削、撤去されており、他の区域にあっては、断面図（ｂ）が図示するように基礎梁６との間に縁切り７が行われるのみで、その掘削、撤去は回避されている。
【００１９】
又、図２は、本実施の形態における傾斜修正の工程を示しており、土間コンクリート建物の立断面図（ａ）と立断面図（ａ）の（ｂ）−（ｂ）矢視した基礎梁と土間コンクリートの断面図（ｂ）を表示している。
【００２０】
本工程では、最初に掘削溝５の底面に配置されているジャッキ２によって傾斜状態にある基礎１をジャッキアップすることで、立断面図（ａ）に図示するように、基礎梁６を水平状態に修正するものであるが、基礎梁６は、既存土間コンクリート４と縁切りされていることで、断面図（ｂ）に見られるように、大部分の既存土間コンクリート４をそのままの状態に残しながらその傾斜状態を修正して、正規の位置に容易に水平化することができる。
【００２１】
次いでの工程は、掘削溝５に、撤去された既存土間コンクリート４の床下３に相当する位置まで埋め戻し８を行うものであり、新規の土間コンクリートを施工するための前処理を完了している。
【００２２】
さらに、図３は、本実施の形態における最終施工の工程を示しており、土間コンクリート建物の立断面図（ａ）と立断面図（ａ）の（ｂ）−（ｂ）矢視した基礎梁を含む床上げ土間コンクリートの断面図（ｂ）を表示している。
【００２３】
最終工程は、床上げ土間コンクリート９を不陸が解消された正規の土間コンクリートとして最終的に施工されるものであり、立断面図（ａ）に図示するように、掘削溝５に埋め戻し８された土壌面と既存土間コンクリート４の上に、基礎梁６と同一面までコンクリートの打ち増しを行うことによって最終的な土間コンクリートを完成している。
【００２４】
従って、床上げ土間コンクリート９は、傾斜を修正して不陸を解消した状態にあり、断面図（ｂ）に見られるように、基礎梁６と同一面まで新規の土間コンクリートとして打設されている。
【００２５】
以上のように、本発明による土間コンクリート建物の傾斜補修工法は、実施の形態で説明したように、ジャッキを設置する掘削部分の土間コンクリートは撤去して、他の土間コンクリートは基礎梁と縁切りし、しかる後に基礎を不陸分だけジャッキアップして既存土間コンクリートの上に床上げ土間コンクリートを打設することを特徴としているので、土工事のコスト、工期の削減と工事期間中における建物の耐震安全性確保及び土間解体工事の騒音、産業廃棄物の発生が防止されている。
【００２６】
以上、本発明による土間コンクリート建物の傾斜補修工法を、上記実施の形態に基づいて詳細に説明したが、本発明は、これらの実施の形態に何ら限定されるものでなく、発明の主旨を逸脱しない範囲において各種の変更が可能であることは当然のことである。
【００２７】
【発明の効果】
本発明による土間コンクリート建物の傾斜補修工法は、傾斜を生じた土間コンクリート建物の基礎をジャッキアップすることで不陸に対応する土間コンクリート建物の傾斜補修工法において、ジャッキを設置する掘削部分の土間コンクリートは撤去して、他の土間コンクリートは基礎梁と縁切りし、しかる後に基礎を不陸分だけジャッキアップして既存土間コンクリートの上に床上げ土間コンクリートを打設することを特徴としているので、以下の効果を発揮している。
【００２８】
▲１▼  床下の掘削が最小限になるので、土工事の工期・コストを削減できる。
▲２▼  基礎は、工事中も土の中にあるので、建物の耐震安全性が確保される。
▲３▼  既存土間コンクリートの取壊しを解消して、土間解体工事における騒音、産
業廃棄物の発生を抑制できる。
【図面の簡単な説明】
【  図１】本発明による土間コンクリート建物の傾斜補修工法の前処理工程図
【  図２】本発明による土間コンクリート建物の傾斜補修工法の傾斜補修工程図
【  図３】本発明による土間コンクリート建物の傾斜補修工法の最終工程図
【  図４】従来の土間コンクリート建物の傾斜補修図
【符号の説明】
１  基礎、  ２  ジャッキ、  ３  既存土間コンクリートの床下、
４  既存土間コンクリート、  ５  掘削溝、  ６  基礎梁、  ７  縁切り、
８  埋め戻し、  ９  床上土間コンクリート、  １０  鉄骨梁、
１１  構造スラブ、  １２  埋め戻し、  １３  土間コンクリート、
【図１】
2004150193.tif 000003
【図２】
2004150193.tif 000004
【図３】
2004150193.tif 000005
【図４】
2004150193.tif 000006